(57)【要約】【課題】フェイバリット登録された音楽コンテンツデータについて登録時に用いた検索キーワードをユーザに知らせることで、所望の音楽コンテンツデータを効率的に選択する。【解決手段】この音楽コンテンツデータ選択装置では、複数キーワードＤｂ付き音楽コンテンツデータＭｄが音楽コンテンツデータ記憶部ＭＳに多数記憶される。ユーザ設定（ＫＳ）した検索キーワードＫｙに従って記憶部ＭＳを検索し（ＲＴ）、検索した所望の音楽コンテンツデータを示す音楽コンテンツ情報Ｄｃを表示する（ＤＳｒ）。ユーザ操作で任意の音楽コンテンツ情報Ｄｃａを選択すると、登録記憶手段に、音楽コンテンツ情報Ｄｃａを音楽コンテンツ指示情報Ｄｒとして記憶し、検索キーワードＫｙを指示情報Ｄｒに対応するキーワード情報として記憶する（ＳＲ）。音楽コンテンツ指示情報Ｄｒとキーワード情報Ｋｒとを対応して表示するので（ＤＳｆ）、次の検索キーワード設定に役立つ。【選択図】図２
2011033915.tif 000002
【特許請求の範囲】
【請求項１】
複数のキーワードが付与された音楽コンテンツデータを複数記憶した音楽コンテンツデータ記憶手段から所望の音楽コンテンツデータを選択するための音楽コンテンツデータ選択装置であって、
ユーザ操作に基づいて所望のキーワードを設定するキーワード設定手段と、
音楽コンテンツデータ記憶手段から、キーワード設定手段により設定されたキーワードに合致するキーワードが付与された音楽コンテンツデータを検索する音楽コンテンツデータ検索手段と、
音楽コンテンツデータ検索手段により検索された音楽コンテンツデータを示す音楽コンテンツ情報を表示する検索結果表示手段と、
ユーザ操作に基づいて、検索結果表示手段により表示された音楽コンテンツ情報から任意の音楽コンテンツ情報を選択する音楽コンテンツ選択手段と、
特定情報登録記憶手段に対し、音楽コンテンツ選択手段により選択された音楽コンテンツ情報を音楽コンテンツ指示情報として記憶すると共に、キーワード設定手段により設定されたキーワードを当該音楽コンテンツ指示情報に対応するキーワード情報として記憶する登録処理手段と、
特定情報登録記憶手段に対応して記憶されている音楽コンテンツ指示情報及びキーワードを互いに対応付けて表示する音楽コンテンツ情報表示手段と
を具備することを特徴とする音楽コンテンツデータ選択装置。
【請求項２】
登録処理手段は、音楽コンテンツ選択手段により選択された音楽コンテンツ情報に該当する音楽コンテンツ指示情報が特定情報登録記憶手段に既に記憶されている場合、特定情報登録記憶手段に既に記憶された当該音楽コンテンツ指示情報に対応して、キーワード設定手段により設定されたキーワードをキーワード情報として追加記憶することを特徴とする請求項１に記載の音楽コンテンツデータ選択装置。
【発明の詳細な説明】
【技術分野】
【０００１】
この発明は、電子楽器などの電子音楽装置において利用可能な多数の音楽コンテンツデータから所望の音楽コンテンツデータを効率的に選択することができる音楽コンテンツデータ選択装置に関する。
【背景技術】
【０００２】
従来より、電子楽器などの電子音楽装置には、多数の音楽コンテンツデータが用意されており、その中から所望の音楽コンテンツデータを効率的に選択する試みが種々なされている。例えば、特許文献１に開示された楽音音色選択装置では、電子楽器に多数用意された音色（音楽コンテンツデータ）がメイン・カテゴリで大きく分類され更にサブ・カテゴリで細かく分類されており、例えば、バンク・キーを用いて所望のメイン・カテゴリを指定すると、指定されたメイン・カテゴリに属する音色がリスト表示され、ユーザは任意の音色データを選択することができる。この選択装置では、さらに、ユーザがよく使う音色や好みの音色を音色リストから選びフェイバリット登録すると、フェイバリット登録されている音色の一覧（全メイン・カテゴリに渡る）をリスト表示することにより、ユーザは所望の音色をより素早く効率的に選択することができる。
【０００３】
また、特許文献２のデータ検索システムでは、作曲者やフレーズ等のキーワード項目に対応して演奏データがデータベースに格納され、例えば、作曲者をキーワードとして入力すると、入力キーワードと類似性をもつキーワードが表示され、その中から検索者により選ばれたキーワードにて所用の演奏データを検索することができる。
【先行技術文献】
【特許文献】
【０００４】
【特許文献１】特開２００２−３５８０７９号公報
【特許文献２】特開平２−２３２７６８号公報
【０００５】
引用文献１の楽音音色選択装置によれば、選ばれた所定の音色（音楽コンテンツデータ）を登録すること（フェイバリット登録）により音色選択を効率的に行うことはできるが、これらの音色がどのようにしてフェイバリット登録の対象になったのか知ることはできない。また、フェイバリット登録されるのは音色の情報のみであるため、仮に、特許文献２の類似キーワード表示技術を利用して、キーワードになり得る当該音色に類似の情報を列挙して表示したとしても、それがユーザにとって有効な情報になるとは限らない。
【発明の概要】
【発明が解決しようとする課題】
【０００６】
この発明は、このような事情に鑑み、登録（フェイバリット登録）された所定の音楽コンテンツデータについて登録時に用いた検索キーワードをユーザに知らせることにより、所望の音楽コンテンツデータを効率的に選択することができるようにした音楽コンテンツデータ選択装置を提供することを目的とする。
【課題を解決するための手段】
【０００７】
この発明の主たる特徴に従うと、複数のキーワード（Ｄｂ）が付与された音楽コンテンツデータ（Ｍｄ）を複数（Ｍｄ１〜Ｍｄｎ）記憶した音楽コンテンツデータ記憶手段（ＭＳ：ＭＳ１，ＭＳ２，ＭＳｍ）から所望の音楽コンテンツデータを選択するための音楽コンテンツデータ選択装置（ＥＭ）であって、ユーザ操作に基づいて所望のキーワード（Ｋｙ：“○○○”）を設定するキーワード設定手段（ＫＳ：Ｓ３〜Ｓ５，Ｓ１６）と、音楽コンテンツデータ記憶手段（ＭＳ）から、キーワード設定手段（ＫＳ）により設定されたキーワード（Ｋｙ）に合致するキーワード（Ｄｂ）が付与された音楽コンテンツデータ（Ｍｄ）を検索する音楽コンテンツデータ検索手段（ＲＴ：Ｓ６〜Ｓ７，Ｓ１７）と、音楽コンテンツデータ検索手段（ＲＴ）により検索された音楽コンテンツデータを示す音楽コンテンツ情報（Ｄｃ）を表示する検索結果表示手段（ＤＳｒ：Ｓ８，Ｓ１８）と、ユーザ操作に基づいて、検索結果表示手段（ＤＳｒ）により表示された音楽コンテンツ情報（Ｄｃ）から任意の音楽コンテンツ情報（Ｄｃａ）を選択する音楽コンテンツ選択手段（ＳＲ：Ｓ２５〜Ｓ２６）と、特定情報登録記憶手段（フェイバリット記憶部ＦＲ）に対し、音楽コンテンツ選択手段（ＳＲ）により選択された音楽コンテンツ情報（Ｄｃａ）を音楽コンテンツ指示情報（Ｄｒ）として記憶すると共に、キーワード設定手段（ＫＳ）により設定されたキーワード（Ｋｙ）を当該音楽コンテンツ指示情報（Ｄｒ）に対応するキーワード情報（Ｋｒ）として記憶する登録処理手段（ＳＲ：Ｓ２７〜Ｓ２８、図６）と、特定情報登録記憶手段（ＦＲ）に対応して記憶されている音楽コンテンツ指示情報（Ｄｒ）及びキーワード（Ｋｒ）を互いに対応付けて表示する音楽コンテンツ情報表示手段〔ＤＳｆ：Ｓ２３（Ｓ４，Ｓ７，Ｓ１６，Ｓ２９）〕とを具備することを特徴とする音楽コンテンツデータ選択装置（ＥＭ）〔請求項１〕が提供される。なお、括弧書きは、理解の便のために付記した実施例の参照記号や用語等を表わし、以下においても同様である。
【０００８】
この発明による音楽コンテンツデータ選択装置において、登録処理手段（ＳＲ：Ｓ２７〜Ｓ２８、図６）は、音楽コンテンツ選択手段（ＳＲ）により選択された音楽コンテンツ情報（Ｄｃａ）に該当する音楽コンテンツ指示情報（Ｄｒ）が特定情報登録記憶手段（フェイバリット記憶部ＦＲ）に既に記憶されている場合（Ｒ２＝ＹＥＳ）、特定情報登録記憶手段（ＦＲ）に既に記憶された当該音楽コンテンツ指示情報（Ｄｒ）に対応して、キーワード設定手段（ＫＳ）により設定されたキーワード（Ｋｙ）をキーワード情報（Ｋｒ）として追加記憶する（Ｒ５）〔請求項２〕ように構成することができる。
【発明の効果】
【０００９】
この発明の主たる特徴による音楽コンテンツデータ選択装置（請求項１）では、アクセス可能な音楽コンテンツデータ記憶手段（ＭＳ：ＭＳ１，ＭＳ２，ＭＳｍ）に利用可能な多数の音楽コンテンツデータ（Ｍｄ：Ｍｄ１〜Ｍｄｎ）に用意されており、各音楽コンテンツデータ（Ｍｄ）には複数のキーワード（Ｄｂ）が付与されている。また、ユーザが選択した「フェイバリット」と呼ばれる所定の音楽コンテンツデータを登録するための特定情報登録記憶手段（フェイバリット記憶部ＦＲ）が設けられている。音楽コンテンツデータ記憶手段（ＭＳ）から所望の音楽コンテンツデータを選択するために、ユーザの設定操作に基づいて所望のキーワード（Ｋｙ：“○○○”）を設定すると（ＫＳ：Ｓ３〜Ｓ５，Ｓ１６）、音楽コンテンツデータ記憶手段（ＭＳ）から、設定されたキーワード（Ｋｙ）に合致するキーワード（Ｄｂ）が付与された音楽コンテンツデータ（Ｍｄ）を検索し（ＲＴ：Ｓ６〜Ｓ７，Ｓ１７）、検索の結果、抽出された音楽コンテンツデータを示す音楽コンテンツ情報（Ｄｃ）をディスプレイ（７）に表示する（ＤＳｒ：Ｓ８，Ｓ１８）。次いで、ユーザの選択操作に応じて、表示された音楽コンテンツ情報（Ｄｃ）から任意の音楽コンテンツ情報（Ｄｃａ）を選択し（ＳＲ：Ｓ２５〜Ｓ２６）、さらに、登録指示操作に応じて、特定情報登録記憶手段（ＦＲ）に対し、ユーザにより選択された所定の音楽コンテンツ情報（Ｄｃａ）を音楽コンテンツ指示情報（Ｄｒ）として記憶し、検索に用いられたキーワード（Ｋｙ）を当該音楽コンテンツ指示情報（Ｄｒ）に対応するキーワード情報（Ｋｒ）として記憶する（ＳＲ：Ｓ２７〜Ｓ２８、図６）。この記憶処理は「フェイバリット登録」と呼ばれ、ユーザのフェイバリット指定操作に応じて、特定情報登録記憶手段（ＦＲ）に記憶されている所定の音楽コンテンツ指示情報（Ｄｒ）及びキーワード情報（Ｋｒ）を読み出し、各音楽コンテンツ指示情報（Ｄｒ）を、対応するキーワード情報（Ｋｒ）と共に表示する〔ＤＳｆ：Ｓ２３（Ｓ４，Ｓ７，Ｓ１６，Ｓ２９）〕。
【００１０】
この発明では、上述のように、フェイバリット登録された所定の音楽コンテンツデータについて、フェイバリットとして登録される際の検索に使われた検索キーワード（Ｋｙ）を、音楽コンテンツデータを指示する音楽コンテンツ情報（Ｄｒ）と共にキーワード情報（Ｋｙ）として記憶しておき、フェイバリット表示時に、かかる検索キーワード（Ｋｙ）を音楽コンテンツ指示情報（Ｄｒ）と共に表示してユーザに知らせるようにしている。従って、この発明によれば、所望の音楽コンテンツデータをより効率的に選択することができる。つまり、フェイバリットに登録された音楽コンテンツデータの登録時の検索キーワードが一目で分かり、ユーザの気に入った音楽コンテンツデータの検索がし易い検索キーワードを簡単に知ることができる。また、別のキーワードで検索することによりいくつかの音楽コンテンツデータを抽出したいが、その中に、フェイバリット表示中の特定のキーワードが付与された音楽コンテンツデータを必ず含めておきたい、というような使い方のときに、音楽コンテンツ指示情報と共に表示されるキーワード情報を有効に利用することができる。また、検索キーワードとなり得る情報は数多くあるが、フェイバリット登録されたキーワード情報は、フェイバリット登録に至った検索に使われたものであるため、キーワード情報の参照により、ユーザにとって実用的かつ意味のある情報に絞り込まれていることを確認することができる。また、音楽コンテンツデータを新たに幅広く検索する際に、キーワード情報を参考にして新たな検索キーワードを設定することができる。
【００１１】
この発明による音楽コンテンツデータ選択装置においては、選択された音楽コンテンツ情報（Ｄｃａ）に該当する音楽コンテンツ指示情報（Ｄｒ）が特定情報登録記憶手段（ＦＲ）に既に記憶されている場合、当該音楽コンテンツ指示情報（Ｄｒ）に対応して、検索に用いられたキーワード（Ｋｙ）を新たなキーワード情報（Ｋｒ）として追加記憶する（請求項２）。従って、この発明によれば、さらに、フェイバリット登録にかかる検索キーワードの内容を充実し、適切な検索キーワードを表示することができる。
【図面の簡単な説明】
【００１２】
【図１】この発明の一実施例による電子音楽装置のハードウエア構成例を示す。
【図２】この発明の一実施例による音楽コンテンツデータ選択モードにおける機能ブロック図である。
【図３】この発明の一実施例による音楽コンテンツデータ選択処理フロー例の第１部分である。
【図４】この発明の一実施例による音楽コンテンツデータ選択処理フロー例の第２部分である。
【図５】この発明の一実施例による音楽コンテンツデータ選択処理フロー例の第３部分である。
【図６】この発明の一実施例によるフェイバリット登録処理フロー例である。
【発明を実施するための形態】
【００１３】
〔システム構成の概要〕
図１は、この発明の一実施例による電子音楽装置のハードウエア構成例を示す。この発明の一実施例による電子音楽装置ＥＭは、電子的な音楽情報処理機能を有する一種のコンピュータであり、例えば、、電子楽器のような音楽専用機器が用いられ、音楽コンテンツデータ選択モード時には音楽コンテンツデータ選択装置として機能することができる。この電子音楽装置ＥＭは、図示のように、中央処理装置（ＣＰＵ）１、ランダムアクセスメモリ（ＲＡＭ）２、読出専用メモリ（ＲＯＭ）３、第１及び第２外部記憶装置（「記憶装置１、２」）４，５、入力操作部６、表示部７、音源８、通信インターフェース（Ｉ／Ｆ）９などを備え、これらの要素１〜９はバス１０を介して互いに接続される。
【００１４】
ＣＰＵ１は、ＲＡＭ２及びＲＯＭ３と共にデータ処理部を構成し、音楽コンテンツデータ選択処理プログラムを含む所定の制御プログラムに従い、タイマによるクロックを利用して音楽コンテンツデータ選択処理を含む種々の音楽情報処理を実行する。ＲＡＭ２は、これらの処理に際して必要な各種データを一時記憶するためのワーク領域として用いられ、例えば、音楽コンテンツデータ選択モード時には、設定されたキーワードや検索された音楽コンテンツデータを示す情報（音楽コンテンツ情報という）などを保持するためのキーワードリスト記憶領域やコンテンツリスト記憶領域などの所定の記憶領域が設けられる。また、ＲＯＭ３には、これらの処理を実行するために、各種制御プログラムや必要な各種制御データが予め記憶される。
【００１５】
第１及び第２外部記憶装置（「記憶装置１、２」）４，５は、ＨＤ（ハードディスク）、ＦＤ（フレキシブルディスク）、ＣＤ（コンパクトディスク）、ＤＶＤ（デジタル多目的ディスク）、フラッシュメモリ等の半導体メモリなどの記憶媒体と、その駆動装置を含む。制御プログラムや、自動演奏データ、楽譜データ、オーディオ楽音データ等の音楽コンテンツデータなどの任意の情報を任意の記憶媒体に記憶することができる。また、記憶媒体は、着脱可能であってもよいし、この電子音楽装置ＥＭに内蔵されていてもよく、着脱可能な記録媒体にはＵＳＢメモリが含まれるものとする。なお、図示の「記憶装置１」及び「記憶装置２」即ち第１外部記憶装置４及び第２外部記憶装置５は、外部記憶装置が複数個あってもよいことを示しており、例えば、第１外部記憶装置４には内蔵フラッシュメモリが用いられ、第２外部記憶装置５にはＵＳＢメモリが用いられる。また、各記憶装置４，５の音楽コンテンツデータ記憶部ＭＳ１，ＭＳ２には所定の音楽コンテンツデータが記憶され、第１外部記憶装置４には、「フェイバリット記憶部」と呼ばれる音楽コンテンツ情報の登録記憶手段ＦＲが設けられ、「フェイバリット」と呼ばれる音楽コンテンツデータに関する情報をフェイバリット記憶部ＦＲに記憶することができる。
【００１６】
入力操作部６は、鍵盤などの演奏操作子やキースイッチなどの設定操作子と、これらの操作子の操作を検出して検出内容に対応する操作情報をデータ処理部（１〜３）に導入する操作検出回路とにより構成される。データ処理部は、これら操作情報に基づき電子音楽装置ＥＭ各部を制御し、例えば、演奏操作子の操作に応じて演奏操作入力に対応する演奏情報を音源８に送り、設定操作子中のモード設定ボタンの操作で電子音楽装置ＥＭを音楽コンテンツデータ選択モードで動作させることができる。表示部７は、演奏や設定に必要な各種情報を表示するＬＣＤ等のディスプレイや、入力操作部５中のスイッチ類に併設した内蔵ランプ等を備え、これらの表示・点灯内容をデータ処理部からの指令で制御し、演奏操作や設定操作などに関する表示援助を行う。また、記憶装置４，５或いは通信Ｉ／Ｆ９からの楽譜データ等に基づく音楽的画像を表示することもできる。
【００１７】
音源８は、音源部やＤＳＰを有し、音源部に設定された音色データのパラメータに従って、入力操作部６からの演奏操作情報から得られる実演奏情報に基づくオーディオ楽音信号を生成したり、記憶装置４，５又は通信Ｉ／Ｆ９からの自動演奏データに基づくオーディオ楽音信号を生成すると共に、生成されるオーディオ楽音信号に所定の効果を付与する。また、記憶装置４，５又は通信Ｉ／Ｆ９からのオーディオ楽音データに基づくオーディオ楽音信号を生成することもできる。サウンドシステム１４は、Ｄ／Ａ変換部やアンプ、スピーカ等を備え、音源８から出力されるオーディオ楽音信号に基づく楽音を発生する。
【００１８】
通信Ｉ／Ｆ９は、ＭＩＤＩ等の音楽用有線Ｉ／Ｆ、ＵＳＢ等の汎用ネットワークＩ／Ｆ或いは無線Ｌａｎ等の汎用近距離無線Ｉ／Ｆ等を含み、外部電子音楽装置ＭＭと交信することができる。例えば、外部電子音楽装置ＭＭの外部記憶装置に設けられた音楽コンテンツデータ記憶部ＭＳｍには、ＭＩＤＩ演奏データや音色データ、オーディオ楽音データ等の音楽コンテンツデータが記憶され、この電子音楽装置ＥＭからアクセスすることができる。なお、汎用近距離有線Ｉ／Ｆに含まれるＵＳＢＩ／Ｆを通じて外部ＵＳＢ機器と種々の情報授受を行うことができ、ＵＳＢＩ／Ｆの接続スロットにはＵＳＢメモリの装着（接続）が可能であるが、ＵＳＢメモリについては、着脱可能な記憶媒体として扱い、外部記憶装置５に含まれるものとする。
【００１９】
〔音楽コンテンツデータ選択モードにおける全体的な動作〕
前述したように、この電子音楽装置ＥＭにおける第１及び第２外部記憶装置４，５の音楽コンテンツデータ記憶部ＭＳ１，ＭＳ２や、外部電子音楽装置ＭＭにおける外部記憶装置の音楽コンテンツデータ記憶部ＭＳｍには、利用可能な多数の音楽コンテンツデータが記憶されており、第１外部記憶装置４中のフェイバリット記憶部ＦＲには、フェイバリットとして選択された音楽コンテンツデータに関する登録情報（Ｄｒ，Ｋｒ）が記憶される。この電子音楽装置ＥＭでは、音楽コンテンツデータ選択モードにおいて、音楽コンテンツデータ記憶部にアクセスして所望の音楽コンテンツデータを検索し、検索結果の中から選択された音楽コンテンツデータをフェイバリットに登録することができ、検索に用いたキーワードがフェイバリット登録情報に含められる。図２は、この発明の一実施例による音楽コンテンツデータ選択モードにおける全体的な動作を示す機能ブロック図である。
【００２０】
図２において、音楽コンテンツデータ記憶部ＭＳは、上述した記憶部ＭＳ１，ＭＳ２，ＭＳｍを含む各種音楽コンテンツデータＭｄの記憶手段を表わしており、多数（ｎ）の音楽コンテンツデータＭｄ１〜Ｍｄｎが記憶されている。各音楽コンテンツデータＭｄは、実体データＤａに特徴情報Ｄｂが付加されたものであり、実体データＤａは、音楽コンテンツデータＭｄの本体をなし、ＭＩＤＩシーケンスデータ、オーディオデータ、楽音に関するイベントデータ列などの種類がある。実体データＤａに付加される特徴情報Ｄｂは、当該音楽コンテンツデータのＩＤ、音楽コンテンツデータを示す表示用の音楽コンテンツ情報（Ｄｃ）、実体データＤａの種々の特徴を表わす項目情報などで構成され、項目情報は検索時のキーワード（Ｋｙ）として用いることができる。キーワードとなる項目情報には、例えば、音楽コンテンツデータＭｄのファイル名（音色名、曲名など）、ファイル種類（拡張子など）、シリアル番号などの識別的な情報や、作曲家、演奏家、楽器種類、ジャンル（ジャズ、ロック等）、拍子、テンポ等の音楽的な情報などがある。
【００２１】
この電子音楽装置ＥＭのＣＰＵ１を含むデータ処理部（１〜３）は、音楽コンテンツデータ選択モードでは、図２に示すように、キーワード設定部ＫＳ、音楽コンテンツデータ検索部ＲＴ、検索結果処理部ＤＳｒ、音楽コンテンツデータ選択及びフェイバリット登録部ＳＲ並びにフェイバリット指定処理部ＤＳｆとして機能する。キーワード設定部ＫＳは、音楽コンテンツデータ記憶部ＭＳから所望の音楽コンテンツデータを検索して選択する際に、キーワード設定画面（図示せず）を表示部７のディスプレイに表示し、ユーザによるキーワードの入力操作があると、この操作に応じた所望のキーワード（検索キーワードともいう）Ｋｙを設定する機能ブロックであり、例えば、キーワードＫｙ＝“○○○”を設定する。音楽コンテンツデータ検索部ＲＴは、音楽コンテンツデータ記憶部ＭＳにアクセスし、設定されたキーワードＫｙに従って、記憶部ＭＳに記憶されている音楽コンテンツデータＭｄ１〜Ｍｄｎの特徴情報Ｄｂ欄内の項目情報（キーワード）を検索する。
【００２２】
検索部ＲＴは、検索キーワードＫｙに合致する項目情報（キーワード）が付与された音楽コンテンツデータＭｄを検出すると、当該音楽コンテンツデータＭｄを示すコンテンツ情報（Ｄｃ）を特徴情報Ｄｂ欄から抽出し、当該音楽コンテンツデータＭｄの記憶場所及び当該キーワードＫｙと共にＲＡＭ２の所定の記憶領域に保持する。検索結果処理部ＤＳｒは、ＲＡＭ２に保持されたコンテンツ情報（Ｄｃ）に基づいて、処理ブロックＤＳｒ内に示す検索結果表示画面のように、検索部ＲＴにより検索された全ての音楽コンテンツデータＭｄに関する音楽コンテンツ情報Ｄｃをリスト形式でディスプレイ（７）に表示し、さらに、ユーザにフェイバリットにしたい音楽コンテンツデータＭｄの選択を促す。
【００２３】
音楽コンテンツデータ選択及びフェイバリット登録部ＳＲは、検索結果表示画面に対してユーザにより任意の音楽コンテンツ情報Ｄｃａを指示する選択操作がなされると、この操作に応じて、画面に表示した音楽コンテンツ情報Ｄｃから任意に指示された音楽コンテンツ情報Ｄｃａを選択する。また、選択した音楽コンテンツデータＭｄをフェイバリットに登録してよいかをユーザに打診し、更にフェイバリット登録を指示するユーザ操作があると、この操作に応じて、ＲＡＭ２に保持されているコンテンツ情報Ｄｃのうち選択した音楽コンテンツ情報Ｄｃａを音楽コンテンツ指示情報Ｄｒとして当該音楽コンテンツデータＭｄの記憶場所情報と共にフェイバリット記憶部ＦＲに記憶し、更に、ＲＡＭ２に保持されている検索キーワードＫｙをキーワード情報Ｋｒとして音楽コンテンツ指示情報Ｄｒに対応付けて記憶する。この記憶処理は「フェイバリット登録」と呼ばれ、記憶された音楽コンテンツ指示情報Ｄｒが指示する音楽コンテンツデータは「フェイバリット音楽コンテンツデータ」或いは単に「フェイバリット」と呼ばれる。また、記憶されたキーワード情報Ｋｒは、登録キーワード情報とも呼ばれ、音楽コンテンツ指示情報Ｄｒを表示する際に併記される。例えば、検索結果処理ブロックＤＳｒ内のように、ユーザ操作によりカーソルで「音楽コンテンツデータ１０」を指示すると、「音楽コンテンツデータ１０」に相当する音楽コンテンツデータがフェイバリットに登録され、音楽コンテンツ指示情報Ｄｒ＝「音楽コンテンツデータ１０」及び登録キーワード情報Ｋｒ＝“○○○”が互いに対応付けられてフェイバリット記憶部ＦＲに記憶される。
【００２４】
フェイバリット指定処理部ＤＳｆは、ユーザにより、選択対象となる音楽コンテンツデータとしてフェイバリットを指定する操作がなされると、この操作に応じて、フェイバリット記憶部ＦＲに記憶されている音楽コンテンツ指示情報Ｄｒ及びキーワード情報Ｋｒを読み出し、処理ブロックＤＳｆ内に示すフェイバリット一覧表示画面のように、各音楽コンテンツ指示情報Ｄｒを、対応するキーワード情報Ｋｒと共に、リスト形式でディスプレイ（７）に表示する。つまり、上述のように、音楽コンテンツ指示情報Ｄｒ＝「音楽コンテンツデータ１０」及びキーワード情報Ｋｒ＝“○○○”でフェイバリット登録を行った後、フェイバリット指定操作があると、フェイバリット一覧表示画面には、音楽コンテンツ指示情報Ｄｒ＝「音楽コンテンツデータ１０」とキーワード情報Ｋｒ＝“○○○”とが対応して表示される。なお、図示のフェイバリット一覧表示画面において、指示情報Ｄｒ＝「音楽コンテンツデータ３」、「音楽コンテンツデータ７」に対応して表示されたキーワード情報Ｋｒ＝“△△△”，“△△△”＋“■■■”は、「音楽コンテンツデータ１０」の登録前の過去にフェイバリット登録した際に検索で用いられたキーワードである。
【００２５】
このように、フェイバリット一覧表示画面には、フェイバリット音楽コンテンツデータの登録時に用いた検索キーワードＫｙがキーワード情報Ｋｒとして表示されるので、ユーザは、現在フェイバリット登録されている音楽コンテンツデータの特徴を簡単に知ることができ、また、表示された検索キーワードを参考にして、キーワード設定部ＫＳで、新たに検索キーワードＫｙを設定し直して新たな音楽コンテンツデータを検索することができる。そして、次のキーワード検索の結果からフェイバリット選択した際に、選択された音楽コンテンツ情報Ｄｃａに該当する音楽コンテンツ指示情報Ｄｒがフェイバリット記憶部ＦＲに既に記憶されている場合は、当該音楽コンテンツ指示情報Ｄｒに対応して、次の検索に用いたキーワードＫｒが追加的にキーワード情報Ｋｒとして記憶され、フェイバリット登録に関する検索キーワードの内容を充実し、適切なキーワード情報をフェイバリット一覧表示画面に提示することができる。
【００２６】
以上のように、この発明の一実施例による音楽コンテンツデータ選択装置では、アクセス可能な音楽コンテンツデータ記憶部ＭＳに、複数のキーワードＤｂが付与された音楽コンテンツデータＭｄが多数（ｎ）記憶され、ユーザによる設定操作に応じて検索キーワードＫｙ（“○○○”）を設定すると（ＫＳ）、検索キーワードＫｙに合致する音楽コンテンツデータＭｄが音楽コンテンツデータ記憶部ＭＳから検索され（ＲＴ）、検索された音楽コンテンツデータＭｄを示す音楽コンテンツ情報Ｄｃが検索結果表示画面に表示される（ＤＳｒ）。次いで、検索結果表示画面に対するユーザの選択操作で任意の音楽コンテンツ情報Ｄｃａが選択され、フェイバリット登録を指示するユーザ操作に応じて、フェイバリット記憶部ＦＲに、選択された音楽コンテンツ情報Ｄｃａが音楽コンテンツ指示情報Ｄｒとして記憶され、さらに、検索キーワードＫｙがこの音楽コンテンツ情報Ｄｃａに対応する登録キーワード情報Ｋｒとして記憶される（ＳＲ）。フェイバリット記憶部ＦＲに対応して記憶された音楽コンテンツ指示情報Ｄｒ及び登録キーワード情報Ｋｒは対応して表示されるので（ＤＳｆ）、次の検索における検索キーワードＫｒの設定などに役立つ。
【００２７】
〔動作フロー例〕
図３〜図５は、この発明の一実施例による音楽コンテンツデータ選択処理による動作例を表わすフローチャートである。この電子音楽装置が、待機モードや実演奏モード、自動演奏モード等の任意の動作モードで動作しているときに、モード設定ボタンの操作で音楽コンテンツデータ選択モードになると、この音楽コンテンツデータ選択処理がスタートし、ＣＰＵ１は、まず、ステップＳ１で、音楽コンテンツデータ選択画面（図示せず）を表示部７のディスプレイに表示し、選択対象となる音楽コンテンツデータが記憶されている範囲或いは選択対象となる音楽コンテンツデータの種類をユーザに選択させ、ユーザ操作により指定された範囲或いは種類の音楽コンテンツデータを選択対象に設定する。
【００２８】
音楽コンテンツデータの範囲については、電子音楽装置ＥＭ内に音楽コンテンツデータが記憶されていてもよいし、ネットＣＮ経由で別の電子音楽装置ＭＭに記憶されているものにアクセスするようにしてもよく、ＵＳＢメモリ等の記憶媒体（５）に記憶されたものでもよい。検索の際は、メディア指定に限らず、更に記憶位置（場所）について細かく指定できるようにしてもよい。また、音楽コンテンツデータの種類については、曲データ、スタイルやアルペジオなどの自動伴奏データ、コードシーケンスデータ、歌詞データ、音色データやテンポデータなどの各種設定データ、等々、様々な種類のものがある。ここで、演奏を表わすデータはＭＩＤＩ形式でもオーディオ形式であってもよい。なお、検索対象となる音楽コンテンツデータ種類の数は、１種類でも複数種類でもよい。
【００２９】
例えば、第１外部記憶装置４（「記憶装置１」）の音楽コンテンツデータ記憶部ＭＳ１には音色データ記憶域及びオーディオデータ記憶域があり、第２外部記憶装置５（「記憶装置１」）の音楽コンテンツデータ記憶部ＭＳ２には自動演奏データ記憶域及びオーディオデータ記憶域があり、外部電子音楽装置ＭＭの音楽コンテンツデータ記憶部ＭＳｍには音色データ記憶域、自動演奏データ記憶域及びオーディオデータ記憶域があるとし、各記憶域には、対応する種類の音楽コンテンツデータが記憶されているものとすると、記憶部ＭＳ１の音色データ記憶域を選択対象の範囲に指定すれば、この記憶域に記憶された音楽コンテンツデータ（即ち音色データ）が選択対象に設定され、自動演奏データを選択対象の種類に指定すれば、記憶部ＭＳ２の自動演奏データ記憶域及び記憶部ＭＳｍの自動演奏データ記憶域に記憶された自動演奏データが選択対象に設定される。
【００３０】
ステップＳ１で、選択対象音楽コンテンツデータの範囲或いは種類を設定した後は、音楽コンテンツデータ選択画面に音楽コンテンツデータの選択方法を提示し、ユーザに所望の選択方法を指定する操作を促す。次のステップＳ２では、ユーザ操作により検索による選択を指定したか否かを判定し、検索による選択を指定したときは（Ｓ２＝ＹＥＳ）、順次、ステップＳ３〜Ｓ８の処理を行う。まず、ステップＳ３では、ＲＡＭ２上のキーワードリスト記憶領域の記憶内容をクリアし、続くステップＳ４で、ユーザ操作に応じて検索キーワードＫｙを設定する。
【００３１】
ここで、フェイバリットに登録されている音楽コンテンツデータに対応して記憶されたキーワードを参照して検索キーワードＫｙを設定したい場合は、第１外部記憶装置４（「記憶装置１」）のフェイバリット記憶部ＦＲから、現在設定されている選択対象範囲或いは種類に該当する音楽コンテンツデータを示す音楽コンテンツ指示情報Ｄｒと対応するキーワード情報Ｋｒとを読み出してディスプレイ（７）にリスト表示し〔図２のフェイバリット一覧表示（ＤＳｆ）を参照〕、表示されたキーワード情報Ｋｒから所望のキーワードを選択するユーザ操作により検索キーワードＫｙを設定する。その他の場合には、ユーザ操作による文字入力やキーワード設定メニューからの選択などで検索キーワードＫｙを設定する。なお、一度（同時）に使う検索キーワードＫｙは１項目でも複数項目でもよい。
【００３２】
ステップＳ４の処理の後は、ステップＳ５に進み、ステップＳ４で設定した１乃至複数項目のキーワードＫｙの内容をキーワードリストとしてＲＡＭ２上のキーワードリスト記憶領域に記憶する。さらに、ステップＳ６で、ＲＡＭ２上のコンテンツリスト記憶領域の記憶内容をクリアし、次のステップＳ７で、現在設定されている選択対象範囲或いは種類の音楽コンテンツデータについて、上述のようにして設定されたキーワードリストに従って所望の音楽コンテンツデータを検索し、該当する音楽コンテンツデータの記憶場所情報と、当該音楽コンテンツデータを示す音楽コンテンツ情報Ｄｃとを含むコンテンツリストを生成し、検索に用いたキーワードＫｙ（キーワードリスト）と対応付けてコンテンツリスト記憶領域に記憶する。このステップＳ７では、さらに、検索によって、該当する音楽コンテンツデータを検出する毎に、当該音楽コンテンツデータがフェイバリット登録されているかどうかをチェックし、フェイバリット登録されている場合は、登録されている音楽コンテンツに対応するキーワード情報Ｋｒを参照して、現在のキーワードリストにない新たなキーワードＫｙを設定し、このキーワードＫｙで再検索して新たな音楽コンテンツデータが見つかれば、この音楽コンテンツデータの記憶場所情報及び当該音楽コンテンツデータを示す音楽コンテンツ情報Ｄｃを、新たなキーワードＫｙ（新たなキーワードリスト）と対応付けてコンテンツリストに追加することができる。つまり、検索しているときにフェイバリット登録している音楽コンテンツデータが該当した場合、該当した音楽コンテンツデータに対応して記憶されている別のキーワード情報を使って更に検索を進めることができる。次のステップＳ８で、コンテンツリスト記憶領域に記憶されたコンテンツリストの音楽コンテンツ情報Ｄｃをディスプレイ（７）に表示し〔図２の検索結果表示（ＤＳｒ）を参照〕、ステップＳ９に進む。
【００３３】
ステップＳ９では、選択作業に移る旨のユーザ操作があったか否かを判定し、選択作業移行操作がないときは（Ｓ９＝ＮＯ）、ステップＳ１０に進んで、この音楽コンテンツデータ選択モードでの作業を中止する旨のユーザ操作があったか否かを判定する。ここで、作業中止の操作があったときは（Ｓ１０＝ＹＥＳ）、直ちに、この音楽コンテンツデータ選択処理を終了し、元の動作モードに復帰する。一方、作業中止の操作がないときは（Ｓ１０＝ＮＯ）、さらに、ステップＳ１１に進み、更にキーワード設定を行い選択候補の絞込みを行う旨のユーザ操作があったか否かを判定する。
【００３４】
ステップＳ１１で絞込み検索への操作がないと判定したときは（Ｓ１１＝ＮＯ）、ステップＳ１２に進み、キーワードＫｙのみを変更して検索を行うか否かを判定し、キーワードＫｙのみの変更で検索を行うものでないときは（Ｓ１２＝ＮＯ）、ステップＳ１３で、選択対象となる音楽コンテンツデータの範囲或いは種類を設定し直した後、ステップＳ１４に進んで、キーワードＫｙをも変更して検索を行うか否かを判定する。ここで、検索キーワードＫｙについてＫｙ変更しないときは（Ｓ１４＝ＮＯ）、ステップＳ６に戻ってコンテンツリスト記憶領域の記憶内容をクリアし、ステップＳ７〜Ｓ８の処理を再度行う。また、ステップＳ１２或いはステップＳ１４で、キーワードＫｙを変更して検索を行うと判定したときには（Ｓ１２＝ＹＥＳ，Ｓ１４＝ＹＥＳ）、ステップＳ３に戻ってキーワードリスト記憶領域の記憶内容をクリアし、ステップＳ４〜Ｓ８の処理を再度行う。
【００３５】
一方、ステップＳ１１において絞込み検索への操作があったと判定したときは（Ｓ１１＝ＹＥＳ）、順次、ステップＳ１５〜Ｓ１８（図４）の処理を行う。まず、ステップＳ１５では、ＲＡＭ２上の絞込みコンテンツリスト記憶領域の記憶内容をクリアし、続くステップＳ１６で、ユーザ操作に応じて新たな検索キーワードＫｙを設定しこれをキーワードリストとしてキーワードリスト記憶領域を更新する。このステップＳ１６では、フェイバリットに登録されている音楽コンテンツデータに対応付けて記憶されたキーワードを参照して新たな検索キーワードＫｙを設定したい場合は、ステップＳ４での処理と同様、フェイバリット記憶部ＦＲから、現在設定されている選択対象の範囲或いは種類に該当する音楽コンテンツデータの記憶場所情報と共に記憶された音楽コンテンツ指示情報Ｄｒと対応するキーワード情報Ｋｒとを読み出してディスプレイ（７）にリスト表示し〔図２のフェイバリット一覧表示（ＤＳｆ）を参照〕、表示されたキーワード情報Ｋｒから所望のキーワードを選択するユーザ操作によりキーワードＫｒを設定することができる。また、その他の場合には、ユーザ操作による文字入力やキーワード設定メニューからの選択などでキーワードＫｒを設定する。
【００３６】
次いで、ステップＳ１７にて、ステップＳ１６で新たに設定されたキーワードＫｙに従って、ステップＳ７で生成されたコンテンツリストを検索し、この検索の結果を絞込みコンテンツリストとして絞込みコンテンツリスト記憶領域に記憶する。そして、ステップＳ１８にて、絞込みコンテンツリスト記憶領域に記憶されたコンテンツリストをディスプレイ（７）に表示する〔表示形式は図２の検索結果表示（ＤＳｒ）と同様〕。
【００３７】
次のステップＳ１９では、絞込み検索の結果に対してキャンセル操作があったか否かを判定し、かかるキャンセル操作がないときは、（Ｓ１９＝ＮＯ）ステップＳ２０に進み、ステップＳ１６で新たに設定されたキーワードをＲＡＭ２上のキーワードリスト記憶領域に追加記憶する。次いで、ステップＳ２１に進んで、選択作業に移る旨のユーザ操作があったか否かを判定する。
【００３８】
ステップＳ１９にて絞込み検索結果へのキャンセル操作があったと判定したとき（Ｓ１９＝ＹＥＳ）、或いは、ステップＳ２１にて選択作業移行操作がないと判定したとき（Ｓ２１＝ＮＯ）は、絞込み検索移行操作の判定ステップＳ１１（図３）に戻り、その判定結果に従い、前述したステップＳ１２或いはステップＳ１５（図４）以降の処理に進む。
【００３９】
さて、ステップＳ２（図３）で音楽コンテンツデータの選択方法として検索による選択を指定しないときには（Ｓ２＝ＮＯ）、ステップＳ２２（図４）に進んで、フェイバリットを指定したか否かを判定する。ここで、フェイバリットを指定したときは（Ｓ２２＝ＹＥＳ）、ステップＳ２３で、第１外部記憶装置４（「記憶装置１」）のフェイバリット記憶部ＦＲから、ステップＳ１で設定された選択対象範囲或いは種類の音楽コンテンツデータの記憶場所情報と、当該音楽コンテンツデータを示す音楽コンテンツ指示情報Ｄｒと、対応するキーワード情報ＫｒとをＲＡＭ２上のコンテンツリスト記憶領域に読み出し、その音楽コンテンツ指示情報Ｄｒ及びキーワード情報Ｋｒをディスプレイ（７）にリスト表示する〔図２のフェイバリット一覧表示（ＤＳｆ）を参照〕。一方、フェイバリットの指定もないと判定したときは（Ｓ２２＝ＮＯ）、ステップＳ２４で、ステップＳ１で設定された選択対象範囲或いは種類に該当する全ての音楽コンテンツデータの記憶場所情報と当該音楽コンテンツデータを示す音楽コンテンツ情報ＤｃとをＲＡＭ２上のコンテンツリスト記憶領域に読み出し、その音楽コンテンツ情報Ｄｃをリストで一覧表示する。
【００４０】
ステップＳ９或いはステップＳ２１で選択作業移行操作があったと判定したとき（Ｓ９＝ＹＥＳ，Ｓ２１＝ＹＥＳ）、ステップＳ２３におけるフェイバリットリストの表示処理の後、或いは、ステップＳ２４における設定範囲或いは種類の音楽コンテンツ情報Ｄｃのリスト表示処理の後は、ステップＳ２５に進んで、ＲＡＭ２上の選択リスト記憶領域の記憶内容をクリアし、次いで、ステップＳ２６にて音楽コンテンツデータ選択処理を行う。つまり、ステップＳ２６では、ステップＳ８、ステップＳ１８、ステップＳ２３或いはステップＳ２４で表示されたリストの中から１乃至複数の所望の音楽コンテンツを示す情報Ｄｃａ，Ｄｒを指定するユーザ操作に応じて、指定された情報Ｄｃａ，Ｄｒを選択し、選択された情報Ｄｃａ，Ｄｒが示す音楽コンテンツデータの記憶場所情報と当該情報Ｄｃａ，Ｄｒから成る選択リストを生成しＲＡＭ２上の選択リスト記憶領域に記憶する。
【００４１】
次のステップＳ２７（図５）では、フェイバリット登録の操作があったか否かを判定し、フェイバリット登録の操作があったときは（Ｓ２７＝ＹＥＳ）、ステップＳ２８で、選択リストの各音楽コンテンツデータ情報Ｄｃａが示す音楽コンテンツデータを登録対象としてフェイバリット登録処理を行う。次いで、ステップＳ２９にて、現在フェイバリットに登録されている音楽コンテンツデータを示す音楽コンテンツ指示情報Ｄｒをリストで表示し、リストの各要素に対応する１項目乃至複数項目のキーワード情報をディスプレイ（７）に表示する。なお、ステップＳ２９の処理は、必要に応じて、ユーザによるフェイバリットリストの表示を指示する操作に基づいて行われる。また、フェイバリット指定ステップＳ２３を経てステップＳ２５，Ｓ２６の音楽コンテンツデータ選択処理を行った場合には、ステップＳ２７で否定的に判断され（Ｓ２７＝ＮＯ）、ステップＳ２８〜Ｓ２９の処理は行われない。
【００４２】
ステップＳ２７でフェイバリット登録の操作がないと判定したとき（Ｓ２７＝ＮＯ）、或いは、ステップＳ２８，Ｓ２９のフェイバリット登録乃至リスト表示処理の後は、ステップＳ３０でその他の処理を行う。その他の処理には、例えば、選択リスト記憶領域に記憶された選択リストを外部記憶装置４，５の所定の記憶領域に保存する処理や、選択リストの各情報Ｄｃａ，Ｄｒが示す所望の音楽コンテンツデータ（実体データＤａ）を再生や設定などの利用のために読み込む処理などがある。そして、ステップＳ３０の処理の後、音楽コンテンツデータ選択処理を終了し、元の動作モードに復帰する。
【００４３】
図６は、この発明の一実施例によるフェイバリット登録処理の動作例を表わすフローチャートである。このフローチャートに示されるフェイバリット登録処理は、音楽コンテンツデータ選択処理のステップＳ２８において、ステップＳ２６で選択された音楽コンテンツデータについて、１つの音楽コンテンツデータ毎に実行される。このフェイバリット登録処理の最初のステップＲ１では、フェイバリット記憶部ＦＲを参照し、登録対象の音楽コンテンツデータが既に登録されているかチェックし、次のステップＲ２で登録済みか否かを判定する。つまり、フェイバリット記憶部ＦＲにおいて、フェイバリット音楽コンテンツデータのうち現在設定されている選択対象範囲或いは種類の音楽コンテンツデータを示す音楽コンテンツ指示情報Ｄｒの中に、登録対象の音楽コンテンツデータを示す音楽コンテンツ情報Ｄｃａに該当するものがある（＝登録済み）か否かを調べる。
【００４４】
ここで、登録されていないときは（Ｒ２＝ＮＯ）、まず、ステップＲ３で、登録対象の音楽コンテンツデータを示す音楽コンテンツ情報Ｄｃａを音楽コンテンツ指示情報Ｄｒとして、当該音楽コンテンツデータの記憶場所情報と共に、フェイバリット記憶部ＦＲに追加的に記憶し、フェイバリットに登録対象の音楽コンテンツデータを追加登録する。続くステップＲ４で、フェイバリットに追加登録した音楽コンテンツデータを示す音楽コンテンツ指示情報Ｄｒに対応付けて、キーワードリスト記憶領域に当該音楽コンテンツ情報Ｄｃａに対応して保持されているキーワードリスト内の検索キーワードＫｙを登録キーワード情報Ｋｒとして記憶する。そして、この記憶処理の後、この登録対象音楽コンテンツデータに関するフェイバリット登録処理を終了する。
【００４５】
一方、登録済みのときは（Ｒ２＝ＹＥＳ）、ステップＲ５でキーワード追加処理を行う。つまり、フェイバリット記憶部ＦＲにおいて、登録対象の音楽コンテンツデータを示す音楽コンテンツ情報Ｄｃａに該当する音楽コンテンツ指示情報Ｄｒに対応付けて記憶された登録キーワード情報Ｋｒと、当該音楽コンテンツ情報Ｄｃａに対応して保持されているキーワードリスト内の検索キーワードＫｙとを比較し、当該キーワードリストの中で未だキーワード情報Ｋｒに含まれていない検索キーワードＫｙを、当該音楽コンテンツ指示情報Ｄｒに対応する新たなキーワード情報ｋｒとして、フェイバリット記憶部ＦＲに追加記憶する。そして、この記憶処理の後、この登録対象音楽コンテンツデータに関するフェイバリット登録処理を終了する。
【００４６】
〔種々の実施態様〕
以上、図面を参照しつつこの発明の好適な実施の一形態について説明したが、これは単なる一例であって、この発明は、発明の精神を逸脱しない範囲で種々の変更が可能である。例えば、検索キーワード（Ｋｙ）となる情報（Ｄｂ）は、実施例のように、音楽コンテンツデータ内の特定箇所（ヘッダーなど）に記憶されていてもよいが、音楽コンテンツデータそのもの（実体データ）と対応付けられた別ファイルに記憶されたものでもよい。或いは、キーワードの種類によっては〔例えば、曲の長さ（所定小節以上など）やテンポ（速い曲、遅い曲など）〕、音楽コンテンツデータそのもの（実体データ）を分析して自動的にキーワードに当たるものがあるかどうか抽出するようにしてもよい。
【符号の説明】
【００４７】
ＦＲ  フェイバリット記憶部（特定情報登録記憶手段）、
ＭＳ：ＭＳ１，ＭＳ２，ＭＳｍ  音楽コンテンツデータ記憶部、
Ｍｄ：Ｍｄ１〜Ｍｄｎ  特徴情報Ｄｂと実体データＤａから成る音楽コンテンツデータ、
ＫＳ  ［検索］キーワードＫｙを設定するキーワード設定部、
ＲＴ，ＤＳｒ  音楽コンテンツデータ検索部及び検索結果処理部、
Ｄｃ，Ｄｃａ  音楽コンテンツ情報、及び、選択された音楽コンテンツ情報、
ＳＲ  音楽コンテンツデータ選択及びフェイバリット登録部、
ＤＳｆ  フェイバリット指定処理部、
Ｄｒ，Ｋｒ  音楽コンテンツ指示情報及び［登録］キーワード情報。
【図１】
2011033915.tif 000003
【図２】
2011033915.tif 000004
【図３】
2011033915.tif 000005
【図４】
2011033915.tif 000006
【図５】
2011033915.tif 000007
【図６】
2011033915.tif 000008